(57)【要約】【課題】過去番組表上から再生させる番組を選択する際、ムーブされている番組を例えば再生しようとしたときに、再生できるようにする。【解決手段】コンテンツリスト作成手段は、一時記録領域に記録された放送コンテンツを再生するために選択可能なコンテンツリストを、一時記録領域から長期記録領域へムーブした放送コンテンツを含み表示するための映像信号を出力する。再生指示受信手段は、コンテンツリストからユーザによって選択された放送コンテンツの再生指示を受信する。再生手段は、選択された放送コンテンツがムーブした放送コンテンツのとき、長期記録領域へムーブした放送コンテンツを再生する。【選択図】  図９
2015106856.tif 000002
【特許請求の範囲】
【請求項１】
一時記録領域に記録された放送コンテンツを再生するために選択可能なコンテンツリス
トを、前記一時記録領域から長期記録領域へムーブした放送コンテンツを含み表示するた
めの映像信号を出力するコンテンツリスト作成手段と、
前記コンテンツリストからユーザによって選択された放送コンテンツの再生指示を受信
する再生指示受信手段と、
前記再生指示受信手段が受信した、前記選択された放送コンテンツが前記ムーブした放
送コンテンツのとき、前記長期記録領域へムーブした放送コンテンツを再生する再生手段
とを備えた再生装置。
【請求項２】
一時記録領域に記録された放送コンテンツを再生するために選択可能なコンテンツリス
トを、前記一時記録領域から長期記録領域へムーブした放送コンテンツを含み表示するた
めの映像信号を出力するコンテンツリスト作成手段と、
前記コンテンツリストからユーザによって選択された放送コンテンツの再生指示を受信
する再生指示受信手段と、
前記再生指示受信手段が受信した、前記選択された放送コンテンツの再放送の放送コン
テンツを前記一時記録領域に記録していることを検出する検出手段と、
前記再生指示受信手段が受信した、前記選択された放送コンテンツが前記ムーブした放
送コンテンツのとき、前記検出手段により検出された前記再放送の放送コンテンツを再生
する再生手段とを備えた再生装置。
【請求項３】
前記検出手段は、前記再放送の放送コンテンツであることを、番組タイトル，ジャンル
，番組説明，番組の時間長のいずれかを用いて再放送の放送コンテンツであることを判定
する請求項２記載の再生装置。
【請求項４】
前記再生手段は、再生する前に再生するか否かを問い合わせるＧＵＩ画面を生成する請
求項１乃至３のいずれか１項に記載の再生装置。
【請求項５】
前記再生手段により再生された放送コンテンツを、ネットワークに配信する配信手段を
更に備えた請求項１乃至４のいずれか１項に記載の再生装置。
【請求項６】
一時記録領域に記録された放送コンテンツを再生するために選択可能なコンテンツリス
トを、前記一時記録領域から長期記録領域へムーブした放送コンテンツを含み表示するた
めの映像信号をコンテンツリスト作成手段によって出力し、
前記コンテンツリストからユーザによって選択された放送コンテンツの再生指示を再生
指示受信手段によって受信し、
前記再生指示受信手段が受信した、前記選択された放送コンテンツが前記ムーブした放
送コンテンツのとき、前記長期記録領域へムーブした放送コンテンツを再生手段によって
再生する再生方法。
【発明の詳細な説明】
【技術分野】
【０００１】
この発明は、例えば所定の時間帯または２４時間録画（丸録）部からＰＶＲ（Personal
Video Recorder）部にムーブ（ＭＯＶＥ）した番組を、過去番組表から再生する再生装
置に関する。
【背景技術】
【０００２】
録画機能を備えた放送受信機として、少なくとも１つのチャンネルを所定の時間帯また
は２４時間録画する機能を持つものが知られている。説明の便宜上、この機能をこの明細
書中、ループ録画と記載することとする。
【０００３】
ループ録画機能を例えばループ録画で実現する場合、予め割り当てた記録容量に達した
ら、古い録画番組部分から順に新しい放送番組で上書き録画する。もし、このループ録画
機能により録画された番組の中で係属して利用したい番組があった場合、ループ録画で上
書きされる前に、ＰＶＲ部へアーカイブ（ダビング／ムーブ）しておく必要がある。
【０００４】
ループ録画機能により録画された番組の中から、再生やＰＶＲ部へアーカイブする番組
を選択する際、録画した番組の一覧を図７に示すような、時間軸とチャンネル軸とからな
るＥＰＧ（Electronic Program Guide）形式で表した、過去番組表の形式でユーザに提示
し、この過去番組表上から選択を可能にする。
【先行技術文献】
【特許文献】
【０００５】
【特許文献１】特開２０１０−２５９０９１号公報
【発明の概要】
【発明が解決しようとする課題】
【０００６】
上記した過去番組表上から再生させる番組を選択する際、既にムーブされている番組を
例えば再生しようとしても、既にムーブ済のため再生することができなかった。
【０００７】
また、この再生装置がＤＭＳ（Digital Media Server）配信機能を持っている場合、ル
ープ録画機能により録画され未だＰＶＲ部にムーブされていないコピーワンスの番組は、
ＤＭＳ配信している間（つまり、ネットワークで接続された別のＤＭＰ（Digital Media 
Player）機器から視聴している間）は、同時に再生装置のディスプレイで再生し視聴する
ことはできないといった制約があり、同時に楽しむことができないといった問題があった
。いずれの場合も対象の番組は過去番組表上は、利用ができない状態（例えばグレーアウ
ト表示され選択できない状態）となる。
【課題を解決するための手段】
【０００８】
上記の目的を達成するために、一時記録領域に記録された放送コンテンツを再生するた
めに選択可能なコンテンツリストを、前記一時記録領域から長期記録領域へムーブした放
送コンテンツを含み表示するための映像信号を出力するコンテンツリスト作成手段と、前
記コンテンツリストからユーザによって選択された放送コンテンツの再生指示を受信する
再生指示受信手段と、前記再生指示受信手段が受信した、前記選択された放送コンテンツ
が前記ムーブした放送コンテンツのとき、前記長期記録領域へムーブした放送コンテンツ
を再生する再生手段とを備えた再生装置を提供する。
【０００９】
また、装置または方法に係る本発明は、コンピュータに当該発明に相当する手順を実行
させるための（あるいはコンピュータを当該発明に相当する手段として機能させるための
、あるいはコンピュータに当該発明に相当する機能を実現させるための）プログラムとし
ても成立し、該プログラムを記録したコンピュータ読み取り可能な記録媒体としても成立
する。
【図面の簡単な説明】
【００１０】
【図１】一実施形態に係る再生装置の構成の一例を示すブロック図である。
【図２】一実施形態に係る再生装置の他の構成の一例を示すブロック図である。
【図３】一実施形態に係る再生装置の他の構成の一例を示すブロック図である。
【図４】一実施形態に係る再生装置の他の構成の一例を示すブロック図である。
【図５】メタデータを説明するための図。
【図６】メタデータ作成方法を説明するためのフローチャート。
【図７】過去番組表の形式のコンテンツリストを示す図。
【図８】過去番組表の形式のコンテンツリストを示す図。
【図９】ムーブされた放送コンテンツ（番組）を再生する際の動作を説明するためのフローチャート。
【図１０】過去番組表の形式のコンテンツリストを示す図。
【発明を実施するための形態】
【００１１】
以下、図面を参照して詳細に説明する。
すなわち、図１は、一実施形態に係る再生装置の構成の一例を示すブロック図、図２乃
至図４は、一実施形態に係る再生装置の他の構成の一例を示すブロック図である。
【００１２】
＜一実施形態に係る再生装置＞
（構成）
はじめに、図１の再生装置１０は、一例として、チューナ等をソースとして記録機能を
有するデジタルテレビジョンである。しかしながら、チューナ等と記録機能とをもったハ
ードディスクレコーダも同様に好適である。
【００１３】
従って、以下の図１を用いた実施形態の説明においては、記録機能をもったデジタルテ
レビジョンとして詳細に説明を行なうが、図１からモニタ４１を分離することで、全く同
様の機能をもったハードディスクレコーダとしての説明と解釈することが可能である。
【００１４】
図１において、デジタルテレビジョンである再生装置１０は、ハードディスクドライブ
（ＨＤＤ）１８を有しており、このハードディスクドライブ１８は、いわゆるループ録画
に用いられる一時記録領域Ａと、ＰＶＲ録画に用いられる保存領域Ｂを有している。又、
制御部３０は、全体の動作を司るべくコントロールバス・データバスDＢを介して各部に
接続されている。
【００１５】
又、図１の再生装置１０は、録画側を構成するトランスコーダ部２１と、再生側を構成
するＭＰＥＧデコーダ部２３と、装置本体の動作を制御する制御部３０とを主たる構成要
素としている。再生装置１０は、入力側のセレクタ１６と出力側のセレクタ１７とを有し
ており、入力側のセレクタ１６には、ＬＡＮ等の通信部１１と、衛星放送（ＢＳ／ＣＳ）
デジタルチューナ部１４と、地上波デジタルチューナ部１５とが接続され、得られた例え
ばＭＰＥＧ２圧縮された信号をトランスコーダ部２１に信号を出力する。又、ＢＳ／ＣＳ
デジタルチューナ部１４には衛星アンテナが、地上波デジタルチューナ部１５には地上波
アンテナが接続されている。
【００１６】
又、再生装置１０は、ＭＰＥＧ２  ＶＩＤＥＯ圧縮された信号をより圧縮率の高いＭＰ
ＥＧ４  ＡＶＣ（Ｈ．２６４）圧縮された信号にトランスコードするトランスコーダ部２
１と、トランスコーダ部２１の出力であるＭＰＥＧ４  ＡＶＣ（Ｈ．２６４）圧縮された
信号を受けデータ編集等の所望のデータ処理を行うデータ編集部２０と、ループ録画のた
めの一時記録領域ＡとＰＶＲ録画のための保存領域Ｂとをもちデータ編集部２０に接続さ
れたハードディスクドライブ１８とを有している。
【００１７】
トランスコーダ部２１は、好ましくはビットレートをより低減させてハードディスクド
ライブ（ＨＤＤ）１８に記録することにより、ハードディスクドライブ（ＨＤＤ）１８に
記録可能な時間長を増やしたり、ネットワーク配信時に再生側接続機器にとって適切なビ
ットレートに変換するといった処理を行うが、必ずしも圧縮率のより高いコーデックに変
更する必要はなく、画素数を減らしたり品質を落とすことによってビットレートを低減さ
せてもよい。なお、ハードディスクドライブ（ＨＤＤ）１８に記録可能な時間長を増やさ
ない場合には、トランスコードすることなく、例えばトランスポートストリームＴＳをそ
のままハードディスクドライブ（ＨＤＤ）１８に記録するようにしてもよい。
【００１８】
更に、再生装置１０は、ハードディスクドライブ１８からの信号を受けてデコードする
ＭＰＥＧデコーダ部２３と、トランスコーダ部２１、バッファ部２２、ＭＰＥＧデコーダ
部２３、多重化部２８、分離部２９、制御部３０、ループ録画・ＰＶＲ録画制御部３４、
予約録画部４３を有している。
【００１９】
これらの各部は、コントロールバス・データバスDＢを介して制御部３０に接続されて
いる。更に、セレクタ部１７の出力は、モニタ４１に供給されるか、外部装置との通信を
行うインタフェース部２７を介して、外部装置に供給される。
【００２０】
更に、再生装置１０は、コントロールバス・データバスDＢを介して制御部３０に接続
され、ユーザによる操作やリモート・コントローラRの操作を受ける操作部３２を有して
いる。ここで、リモート・コントローラＲは、再生装置１０の本体に設けられる操作部３
２とほぼ同等の操作を可能とするものであり、ハードディスクドライブの記録再生指示や
、編集指示、又、チューナの操作、予約録画の設定等、各種設定が可能である。
【００２１】
又、図２に示すように、一実施形態に係る再生装置１０の一時記録領域Ａと保存領域Ｂ
とは、独立したハードディスクドライブ１８ａ，１９に設けられている場合も好適である
。又、図３に示すように、一実施形態に係る再生装置１０のハードディスクドライブ１８
ｂは、インタフェース２５を介して着脱可能な外付けハードディスクドライブであること
も好適である。更に、図４に示すように、内蔵のハードディスクドライブ１８に加えて、
更に外付けのハードディスクドライブ４４を設け、保存領域Ｂをここに設けることも好適
である。
【００２２】
（基本動作）
・記録処理
次に、放送コンテンツ（番組）の記録時の動作について詳細に説明する。
再生装置１０の入力側として、ＬＡＮ等の通信部１１は、外部機器と接続して、例えば
モデムＭ等を介しインターネット等の通信路を経由して番組情報提供サーバＳ等と通信を
行ったり、コンテンツデータ情報等をダウンロードしたりする。又、ＢＳ／ＣＳデジタル
チューナ１４、地上波デジタルチューナ部１５は、アンテナを介して放送信号を選局し復
調して映像信号及び音声信号を入力する。又、必ずしも一つだけを設けるものではなく、
例えば、地上波放送のチューナ部や、ＢＳ／ＣＳチューナ部を２つ又は３つ以上を有し、
予約録画の要求に応じて平行して機能させる場合も含んでいる。
【００２３】
又、先の通信部１１は、ＩＥＥＥ１３９４インタフェースであってもよく、ネットワー
ク上の外部機器からデジタルコンテンツデータを受けることが可能である。又、図示しな
い入力端部から、輝度信号や色差信号、コンポジット等の映像信号、音声信号を受けるこ
とも可能である。これらは、制御部３０等で制御されるセレクタ１６により、入力が制御
されて、トランスコーダ部２１に選択的に供給される。
【００２４】
トランスコーダ部２１は、セレクタ１６により入力されたビデオ信号やオーディオ信号
をトランスコードするビデオ用及びオーディオ用のビデオトランスコーダの機能と、オー
ディオトランスコーダの機能とを有し、例えばＭＰＥＧ２  ＶＩＤＥＯの映像信号を、よ
り圧縮率の高いＭＰＥＧ４  ＡＶＣ（Ｈ．２６４）の映像信号にトランスコードして、先
の制御部３０に供給される。
【００２５】
ここで図１の装置は、デジタル放送を受信して得られた、ＭＰＥＧ２  ＶＩＤＥＯ等の
方式で高能率符号化されているデジタル情報を、より圧縮率の高いＭＰＥＧ４  ＡＶＣ（
Ｈ．２６４）の映像信号にトランスコードし、制御部３０を介してハードディスクドライ
ブ１８内の一時記録領域Ａまたは保存領域Ｂ１９に供給し記録することができる。
【００２６】
ＢＳ／ＣＳデジタルチューナ１４、地上波デジタルチューナ部１５から出力された放送
コンテンツ（番組）のデータには１つまたは複数チャンネル分の放送コンテンツ（番組）
のデータが含まれており、分離部２９により所望のチャンネルの放送コンテンツ（番組）
のデータを分離し、更に、多重化部２８により、複数チャンネル分の管理情報を分離した
所望のチャンネル用の管理信号に書き換えるべく管理情報を多重処理する。なお、管理情
報は多重せずＨＤＤに記録してもよい。
【００２７】
データ編集部２０により、ハードディスクドライブ１８等に記録されている複数番組の
放送コンテンツ（番組）のデータを、一部削除したり、異なる番組のオブジェクトをつな
げたり、といった編集処理を行うこともできる。
【００２８】
・再生処理
次に、記録された放送コンテンツ（番組）の再生時の動作について詳細に説明する。
デジタルテレビジョンである再生装置１０において、リモート・コントローラＲ又は操
作部３２のユーザによる操作に応じた操作信号に従って、制御部３０等の制御下において
、放送信号を受信しＢＳ／ＣＳデジタルチューナ１４又は地上波デジタルチューナ部１５
からの放送コンテンツ（番組）のデータをモニタ４１に表示する。
【００２９】
ＭＰＥＧデコーダ部２３は、ＭＰＥＧ２  ＶＩＤＥＯ等の方式で高能率符号化されてい
るデータをデコードした映像にメニュー、ハイライトボタン、字幕やその他の副映像を重
ねて出力するビデオプロセッサを備えている。ＭＰＥＧデコーダ部２３の出力音声映像信
号は音声映像処理部２４に出力される。音声映像処理部２４は、ＭＰＥＧデコーダ部２３
からの出力音声映像信号に、ＥＰＧ等の映像を生成して付加して出力音声映像信号とした
り、或いはＥＰＧを生成して出力音声映像信号とする。この出力音声映像信号は、セレク
タ部１７を介してモニタ４１に表示される。セレクタ部１７は、制御部３０からのセレク
ト信号により制御される。
【００３０】
＜一実施形態であるループ録画及びＰＶＲ録画処理＞
次に、一実施形態であるループ録画及びＰＶＲ録画処理を、図面を参照しながら以下に
詳細に説明する。
（ループ録画とＰＶＲ録画）
はじめに、本実施例におけるループ録画とＰＶＲ録画の概要について説明する。
ループ録画とは、例えば、地上波デジタルチューナ部１５からの放送コンテンツ（番組
）のデータをハードディスクドライブ１８の一時記録領域Ａに書き込み、記憶するもので
あり、例えば所定の制限容量や制限時間の範囲でこの一時記録領域Ａに連続的に録画する
方法である。ここで、書き込んだ容量が制限容量を超えた場合や録画時間が制限時間を越
えた場合は、一時記録領域Ａに書き込まれた古いコンテンツデータから削除し、空いてい
る記憶領域から新たなコンテンツデータを書き込む録画を行なっていき、これにより記憶
容量の節約を行ないながら放送コンテンツ（番組）のデータの録画・再生処理を行う機能
である。本明細書中、ループ録画とは、必ずしもアドレスの小さい順にループして上書き
記録している必要はなく、時系列的に古い番組が消され、この領域に新しい番組を記録し
ていくものであればよい。なお、ことのきの削除は上書き記録により削除されるものであ
ってもよい。
【００３１】
ＰＶＲ録画とは、上記ループ録画とは異なり、通常のハードディスクを搭載したレコー
ダーと同じ録画方式であり、例えば特定の番組や、所定の時刻等が指定され、コンテンツ
をハードディスクドライブ１８の保存領域Ｂに記録する。基本的に空き容量が足らなくな
った場合の自動削除機能を働かせない場合、コンテンツは削除されることはない。
【００３２】
（予約録画処理）
次に、予約録画処理について説明する。本実施例の予約録画部４３では、放送波や通信
部１１等から取得した電子番組情報に基づきユーザがリモート・コントローラＲ等の操作
で特定した番組に応じた録画予約処理を実行する。この予約録画処理には、ループ録画の
予約と、ＰＶＲ録画の予約の２つがある。
【００３３】
（予約録画処理１：ループ録画の予約）
本実施例では、ループ録画を実行するためのループ録画用の予約録画情報によって記録
するコンテンツをハードディスクドライブ１８の一時記録領域Ａに記録する。
ループ録画用の予約録画情報は、例えば毎日２４時間でもよいし、ゴールデンタイムの
時間帯だけ一時保存しておきたいのであれば毎日１９：００〜２３：００というように任
意の時間帯であってもよい。また、ループ録画させておきたいチャンネルを選択できる仕
様であってもよいし、選択できず全チャンネルループ録画する仕様であってもよい。設定
されたループ録画用の予約録画情報は、例えば制御部３０内のメモリに記憶される。
【００３４】
このループ録画用には、ループ録画の時間帯とＰＶＲ録画時刻とが重なっても大丈夫な
ように、ＰＶＲ録画用とは別にループ録画専用のチューナが設けられていることが好まし
い。
【００３５】
予約録画部４３は、記憶された予約録画情報を参照することで、ＢＳ／ＣＳデジタルチ
ューナ部１４、および地上波デジタルチューナ部１５で受信した放送コンテンツ（番組）
のデータを、予約時刻にハードディスクドライブ１８の一時保存領域Ａに放送コンテンツ
（番組）のデータを記録する。これによりハードディスクドライブ１８の一時保存領域Ａ
上で放送コンテンツ（番組）のデータを一時的に保存することができる。
【００３６】
予約録画部４３は、ハードディスクドライブ１８の一時保存領域Ａがいっぱいになると
、古い番組を順に消去して、新しい番組を記録していく。
（予約録画処理２：ＰＶＲ録画の予約）
本実施例では、ＰＶＲ録画を実行するためのＰＶＲ録画用の予約録画情報によって記録
するコンテンツをハードディスクドライブ１８の保存領域Ｂに記録する。このＰＶＲ録画
による録画は、通常のハードディスクを搭載したレコーダーと同じである。ＰＶＲ録画用
の予約録画情報は、例えば番組単位で指定してもよいし、１９：００〜２１：００にどの
チャンネルというように任意の時間帯・任意のチャンネルで指定してもよい。設定された
ＰＶＲ録画用の予約録画情報は、例えば制御部３０内のメモリに記憶される。
【００３７】
このＰＶＲ録画用には、ＰＶＲ録画時刻とループ録画の時間帯とが重なっても大丈夫な
ように、ループ録画用とは別にＰＶＲ録画専用のチューナが設けられていることが好まし
い。
【００３８】
予約録画部４３は、記憶された予約録画情報を参照することで、ＢＳ／ＣＳデジタルチ
ューナ部１４、および地上波デジタルチューナ部１５で受信した放送コンテンツ（番組）
のデータを、予約時刻にハードディスクドライブ１８の保存領域Ｂに放送コンテンツ（番
組）のデータを記録する。これによりハードディスクドライブ１８の保存領域Ｂ上で放送
コンテンツ（番組）のデータを長期的（恒久的）に保存することができる。
【００３９】
この実施形態の再生装置１０は、このように総合的な機能を有しており、複数のソース
に対して、ハードディスクドライブ１８等に対する記録・再生処理を行うものである。又
、ハードディスクドライブ１８等の他に、データ編集部２０等に図示しない光ディスクド
ライブを接続して、同様に記録・再生処理を行なうことも好適である。
【００４０】
次に、本実施形態の特徴部分であるループ録画の動作について、更にフローチャートも
用いて詳細に説明する。
・ループ録画の動作説明
図５は、メタデータを示す図である。図６は、このメタデータの作成方法を説明するた
めのフローチャートである。なお、メタデータを作成するタイミングはループ録画を行い
ながら作成する例で説明するが、これに限らず例えばループ録画が終了した段階で作成し
てもよい。
【００４１】
ＢＳ／ＣＳの有料放送チャンネルでは同じタイトルの番組（特に映画）を数日の間に時
間帯を変えて繰り返し放送されることが多い。
（ステップＳ６０１）制御部３０は、ループ録画を開始する。
（ステップＳ６０２）制御部３０は、ループ録画する際、図５（ａ）に示すように、番
組毎に番組の属性情報である「タイトル」、「放送日時」、「ジャンル」、「番組時間長
」、「番組説明」、「コピー制御」、「ムーブ参照情報」、「再放送録画参照情報１〜ｎ
」等をメタデータとして例えばＨＤＤ１８に記録する。「タイトル」、「放送日時」、「
ジャンル」、「番組時間長」、「番組説明」は、ＳＩ（Service Information）から得ら
れる番組に関する情報である。
【００４２】
「コピー情報」は、当該録画コンテンツについてコピー可能な回数を示す情報で、デジ
タル放送では放送番組中に当該番組の「コピー制御情報」としてダビング１０やコピーワ
ンスといった情報が多重されている。ダビング１０の場合は１回の録画の他にその９個分
のコピーが可能で、コピーワンスの場合は録画したコンテンツのコピーは禁止（録画した
コンテンツを別の記録メディアへムーブすることは可）となる。
【００４３】
「ムーブ参照情報」は、ループ録画によりハードディスクドライブ１８の一時記録領域
Ａに記録されたコンテンツが、ＰＶＲ録画時に用いられるハードディスクドライブ１８の
保存領域Ｂにムーブされた場合に付加される情報で、このコンテンツを再生するために必
要な情報であ。この「ムーブ参照情報」は、例えば図５（ｂ）に示すように「ムーブ先Ｈ
ＤＤの識別情報」と「ムーブ先ＨＤＤでの録画番組の識別情報」とから構成されている。
【００４４】
過去番組表の形式のコンテンツリストから、ムーブ済のコンテンツについて再生要求を
受けた際、代わりに「ムーブ参照情報」（「ムーブ先ＨＤＤの識別情報」と「ムーブ先Ｈ
ＤＤでの録画番組の識別情報」）を使ってムーブ先に記録されてあるコンテンツを再生す
ることができる。
【００４５】
（ステップＳ６０３）制御部３０は、ループ録画の終了時刻か否かを判定し、終了時刻
であれば処理を終了し、終了時刻でなければメタデータの作成を続けるためステップＳ６
０４へ進む。
【００４６】
（ステップＳ６０４）制御部３０は、ループ録画中、録画する番組が切り替わったか判
定する。
（ステップＳ６０５）制御部３０は、番組が切り替わる度に、ハードディスクドライブ
１８の一時記録領域Ａに消されず残っている再生可能な番組の再放送か否かを判定をする
。この判定方法については、新しく録画する番組の属性情報（「タイトル」、「ジャンル
」、「番組時間長」、「番組説明」等）とループ録画済みの各番組のメタ―データとの類
似度を求めることにより、ループ録画してある番組の再放送番組かどうかを判定する。例
えば、図７のｃｈ１０３にて１４：００〜１６：００に放送される番組のタイトル「映画
ＡＢＣ」と、同チャンネルにて１６：００〜１８：００に放送される番組のタイトル「［
再］映画ＡＢＣ」とは、番組のタイトルが一致しており、頭に再放送であることを示す［
再］が付いただけなので、タイトルが一致するとして再放送の放送コンテンツ（番組）で
あると判定する。
【００４７】
（ステップＳ６０６）制御部３０は、ステップＳ６０５での判定の結果、もしループ録
画してある番組の再放送である場合は、それぞれのメタデータに互いの録画を利用するた
めに必要な「再放送録画参照情報１〜ｎ」を図５（ａ）に示すように追加記録する。再放
送がｎある場合には、ｎ個の「再放送録画参照情報」が追加記録される。この「再放送録
画参照情報」は、例えば図５（ｃ）に示すように「タイムシフト録画先ＨＤＤの識別情報
」と「タイムシフト録画先ＨＤＤでの録画番組の識別情報」とから構成されている。
【００４８】
過去番組表の形式のコンテンツリストから、ムーブ済のコンテンツについて再生要求を
受けた際、代わりに「再放送録画参照情報」（「タイムシフト録画先ＨＤＤの識別情報」
と「タイムシフト録画先ＨＤＤでの録画番組の識別情報」）を使って再放送のコンテンツ
を再生することができる。この再放送のコンテンツは、厳密には異なるが番組自体は同じ
内容のコンテンツなのでユーザの望んだコンテンツを再生することができる。
【００４９】
・ハードディスクドライブ１８の一時記録領域Ａにループ録画したコピーワンス番組の、
ＰＶＲで用いられるハードディスクドライブ１８の保存領域Ｂへのムーブ
上記のようにしてループ録画された番組は、やがて新しい放送コンテンツ（番組）の録
画により、古い放送コンテンツ（番組）が上書きされ削除されてしまう。このような場合
を回避するためにループ録画した番組の中から長期的に保存しておきたい放送コンテンツ
（番組）があった場合、このループ録画した放送コンテンツ（番組）について、ハードデ
ィスクドライブ１８の一時記録領域Ａから保存領域Ｂへのアーカイブ処理（コピー／ムー
ブ）を行なうことにより、放送コンテンツ（番組）のデータをハードディスクドライブ１
８の保存領域Ｂ上でＰＶＲ録画したときと同様に長期的に保存することができる。
【００５０】
有料放送番組のコピー制御御情報は多くの場合コピーワンスで運用がされている。コピ
ーワンスの放送コンテンツ（番組）をループ録画で用いられる記録領域であるハードディ
スクドライブ１８の一時記録領域Ａから、ＰＶＲ録画で用いられる記録領域であるハード
ディスクドライブ１８の保存領域Ｂへムーブした場合、ハードディスクドライブ１８の一
時記録領域Ａからは、再生や配信等の利用をできないようにする。具体的には当該番組の
再生等の利用管理情報である権利保護情報を更新して無効にしたり、当該番組の再生に必
湯なスクランブル鍵を無効にしたり、ハードディスクドライブ１８の一時記録領域Ａに記
録されている放送コンテンツ（番組）を削除する等して、再生や配信等の利用をできない
ようにする。
【００５１】
・過去番組表上でのムーブ済みコンテンツの利用選択
ここで、ユーザがループ録画したコンテンツリストである過去番組表からムーブ済みの
放送コンテンツ（番組）を再生するために選択した場合の動作について説明する。
【００５２】
図９は、ムーブされた放送コンテンツ（番組）を再生する際の動作を説明するためのフ
ローチャートである。
（ステップＳ９０１）制御部３０は、ハードディスクドライブ１８の一時記録領域Ａに
ループ録画された番組を時系列軸とチャンネル軸を持つ２次元平面上に並べ、図７に示す
過去番組表の形式のコンテンツリストを生成しモニタ４１に表示させる。
【００５３】
（ステップＳ９０２）制御部３０は、この過去番組表の形式のコンテンツリストに対し
て入力された、リモート・コントローラRの上下左右キー（図示せず）によるユーザによ
る操作入力を受け付ける。例えば、図７のフォーカス７０１（太枠線）を上下左右に動か
し所望の番組にフォーカス７０１を当て、リモート・コントローラRの決定ボタン（図示
せず）が押下されると再生指示として受け付ける。
【００５４】
（ステップＳ９０３）制御部３０は、ステップＳ９０２で再生指示された番組のメタデ
ータをハードディスクドライブ１８から読み込む。
（ステップＳ９０４）制御部３０は、ステップＳ９０３で読み込んだメタデータの中に
、ムーブ参照情報が記載されているか否かによって、ムーブ済か否かを判定する。制御部
３０は、もし、ムーブ参照情報が記載されていればムーブ済と判定してステップＳ９０５
へ進み、ムーブ参照情報が記載されていなければムーブ済ではないとしてステップＳ９１
１へ進む。
【００５５】
（ステップＳ９０５）制御部３０は、ステップＳ９０３で読み込んだメタデータの中に
、再放送録画参照情報が記載されているか否かを判定する。制御部３０は、もし、再放送
録画参照情報が記載されていれば再放送番組がループ録画されていると判定してステップ
Ｓ９０９へ進み、再放送録画参照情報が記載されていなければ再放送番組がループ録画さ
れていないとしてステップＳ９０６へ進む。
【００５６】
（ステップＳ９０６）制御部３０は、図１０（ａ）に示すムーブ先から再生するかを問
い合わせるＧＵＩ画面を音声映像処理部２４に作成させモニタ４１に表示させる。
【００５７】
（ステップＳ９０７）制御部３０は、ユーザから、ムーブ先から再生するかの応答を得
、再生要求があった場合にはステップ９１１へ進み、ムーブ先の放送コンテンツ（番組）
を再生し、再生要求が無かった場合にはステップＳ９０８へ進む。
【００５８】
（ステップＳ９０８）制御部３０は、再生しない旨を表示し、処理を終了する。
（ステップＳ９０９）制御部３０は、図１０（ｂ）に示す再放送番組を再生するかを問
い合わせるＧＵＩ画面を音声映像処理部２４に作成させモニタ４１に表示させる。
【００５９】
再放送番組がループ録画されている
（ステップＳ９１０）制御部３０は、ユーザから再放送の放送コンテンツ（番組）を再
生するかの応答を得、再生要求があった場合にはステップ９１１へ進み、再放送の放送コ
ンテンツ（番組）を再生し、再生要求が無かった場合にはステップＳ９０８へ進む。
【００６０】
（ステップＳ９１１）制御部３０は、ステップＳ９０４で再生指示された番組がムーブ
済でない場合、リモート・コントローラRの決定ボタンが押下され時点でフォーカス７０
１の当てられていた番組（例えば図７の例では「スポーツ１４」というタイトル）の放送
コンテンツ（番組）をハードディスクドライブ１８の一時記録領域Ａから再生してモニタ
４１に表示させる。また、制御部３０は、ステップＳ９０７で再生指示された番組のムー
ブ先であるハードディスクドライブ１８の保存領域Ｂから放送コンテンツ（番組）を読出
してモニタ４１に再生する。また、制御部３０は、ステップＳ９１０で再生指示された再
放送の放送コンテンツ（番組）をハードディスクドライブ１８の一時保存領域Ａから読出
してモニタ４１に再生する。
【００６１】
以上説明したように図９の動作では、ＰＶＲ録画にムーブさせた放送コンテンツ（番組
）と、ループ録画されている再放送の放送コンテンツ（番組）との両方が存在していたと
き、ループ録画されている再放送の放送コンテンツ（番組）の方をより優先して再生させ
ている。これはループ録画の再生によるＰＶＲ録画への悪影響（負荷）を防ぐためである
。また、ムーブ先はＰＶＲ録画の保存先ではなく、光学ディスクの場合も有り得るので、
再放送の放送コンテンツ（番組）が優先されていた方が、ユーザに光学記録媒体を入れ替
える手間がなく、より好ましい。
【００６２】
しかし、これに代えて優先順位を逆にし、ループ録画されている再放送の放送コンテン
ツ（番組）を優先して再生させるようにしてもよい。
なお、再生装置がＤＭＳ機能を備えている場合には、ユーザがループ録画したコンテン
ツリストである過去番組表からＤＭＳ配信目的で、ムーブ済みの放送コンテンツ（番組）
を選択した場合も同様に前記メタデータを参照し、同じ番組の再放送を別途録画している
かどうかを調べ、前記利用管理情報の権利保護情報から当該番組が利用が可能か否かを調
べ、もし利用が可能な場合は、このことをユーザに知らせ、代わりの再放送番組をユーザ
が容易に再生（配信）できるようにしてもよい。このような配信するにも必ず再生してか
ら配信が行われるため、配信するためには必ず再生の処理が必要である。
【００６３】
以上説明したとおり、この実施形態によれば、ユーザがループ録画したコンテンツリス
トである過去番組表からムーブ済みのコンテンツを選択した場合でも、同じ番組の再放送
の録画の有無と利用の可否を調べ、可能な場合は代わりとしてこの再放録画が利用可能な
ことを提示したり、ムーブした先のＰＶＲからの利用（再生、配信）の可否を調べ、可能
な場合は、このことをユーザに知らせるようにしたので、容易に再放送録画やムーブ先か
らの再生（あるいは配信）を行えるようにすることでユーザの利便性の向上を図ることが
できる。
【００６４】
なお、本発明は上記実施形態そのままに限定されるものではなく、実施段階ではその要
旨を逸脱しない範囲で構成要素を変形して具体化できる。また、上記実施形態に開示され
ている複数の構成要素の適宜な組み合わせにより、種々の発明を形成できる。例えば、実
施形態に示される全構成要素から幾つかの構成要素を削除してもよい。さらに、異なる実
施形態にわたる構成要素を適宜組み合わせてもよい。例えば、第１の実施形態と第２の実
施形態とを組み合わせ、所望の番組属性として、ジャンル、チャンネルを組みとしたもの
としてもよい。
【符号の説明】
【００６５】
１１…通信部、１４…ＢＳ／ＣＳデジタルチューナ部、１５…地上波デジタルチューナ
部、１８…ハードディスクドライバ、２０…信号編集部、２１…トランスコーダ部、２２
…バッファ部、２３…ＭＰＥＧデコーダ部、２４…音声映像処理部、２６…ディスプレイ
、２７…Ｉ／Ｆ部、２８…多重化部、２９…分離部、３０…制御部、３２…操作部、３３
…表示部、４１…モニタ、４２…予約録画部、４３…番組表生成部。
【図１】
2015106856.tif 000003
【図２】
2015106856.tif 000004
【図３】
2015106856.tif 000005
【図４】
2015106856.tif 000006
【図５】
2015106856.tif 000007
【図６】
2015106856.tif 000008
【図７】
2015106856.tif 000009
【図８】
2015106856.tif 000010
【図９】
2015106856.tif 000011
【図１０】
2015106856.tif 000012